(57)【要約】  【課題】法面工事における作業工程及び作業工数を減少させることができると共に、大掛かりな重機を必要とせず人力で施工を行うことができ、法面に草木が樹生するのを防止することができる法面保護材を提供する。  【解決手段】法面の傾斜下端に敷設される横長な路肩コンクリートブロック１０と、コンクリートブロック１０の内部に下端縁を埋没させた状態でこれに止着された防草シート材２０と、法面の土中に埋設可能な埋没部と防草シート材２０の上端縁を止着するシート止着部とを有する横長な埋設部材３０と、を備え、防草シート材２０の左右いずれか一方の側縁をコンクリートブロック１０並びに埋設部材３０の端部よりも側方に突出させて重ね合わせ代２１とした。【選択図】図１
2008184814.tif 000002
【特許請求の範囲】
【請求項１】
法面の傾斜下端に敷設される横長な路肩コンクリートブロックと、該路肩コンクリートブロックの内部に下端縁を埋没させた状態で当該路肩コンクリートブロックに止着された防草シート材と、法面の土中に埋設可能な埋没部と防草シート材の上端縁を止着するシート止着部とを有する横長な埋設部材と、を備え、
前記防草シート材の左右いずれか一方の側縁をコンクリートブロック並びに埋設部材の端部よりも側方に突出させて重ね合わせ代としたことを特徴とする法面保護材。
【請求項２】
前記埋設部材が、２片を屈曲した断面Ｌ字状の長尺な部材であって、防草シート材の上端縁を止着するシート止着部としての止着片と、該止着片の端から屈曲して法面の土中に埋設される埋没片とから構成されていることを特徴とする請求項１に記載の法面保護材。
【請求項３】
前記止着片の下面に防草シート材の上端縁を当接して挟持板により挟持したことを特徴とする請求項２に記載の法面保護材。
【請求項４】
埋設部材がコンクリートブロック製であって、当該コンクリートブロックの内部に防草シート材の上端縁を埋設した状態で止着したことを特徴とする請求項１に記載の法面保護材。
【請求項５】
法面に打ち込むアンカーの上端を埋設部材に接続したことを特徴とする請求項１から４のいずれかに記載の法面保護材。
【請求項６】
埋設部材の埋没部にアンカー接続部を設け、該アンカー接続部にアンカーを接続してアンカーの上端を法面の表面から埋没させて隠蔽可能としたことを特徴とする請求項１から５のいずれかに記載の法面保護材。
【発明の詳細な説明】
【技術分野】
【０００１】
本発明は、道路脇などの法面下部の路肩部を安定させると共に、路肩部から斜め上方に連続する法面に防草シート材を被せて雑草が生えることを防止する法面保護材に関する。
【背景技術】
【０００２】
山間部に造成された道路には、その路肩部から斜め上方に連続する法面が存在する。このような道路は、通常、路肩部に横長の路肩コンクリートブロックを敷設して、路肩部が崩壊しないように安定させ、また路肩部から斜め上方に連続する法面を保護すると共に、法面に草木が樹生するのを防止する必要がある。
【０００３】
法面保護を重視した工法としてはブロック工法が知られており、法面下部に基礎ブロックを埋設し、該基礎ブロックの法面部側に所定の角度で形成した傾斜部上に法面ブロックの下端面を当接させて該法面ブロックを法面の勾配に沿って傾斜させ、その上に順次法面ブロックを積み重ねることにより法面に沿ったコンクリート構造体を構築している。
【０００４】
また、主に法面に草木が樹生するのを防止する工法としては、法面に沿って防草シート部を張設することが知られているが、この場合も法面の傾斜下端の路肩部にはコンクリートブロックを配設する必要があった。
【０００５】
これに関連する発明としては、例えば、柔軟性を有する帯状のシート本体片面の短手方向の一側縁部に沿って接着層を設け、また、前記シート本体の所定位置に複数の固定用孔を設けて防草シート部を成形し、施工面に、前記防草シート部を接着層が上面に位置するようにして敷設すると共に複数の固定用孔へ固定具を打込んで防草シート部を固定し、次に、後の防草シート部の一側縁部を先の防草シート部の接着層上面に重合させて互いに張り合わせ、前記重合部分を含め後の防草シート部に設けられた各固定用孔へ固定具を打ち込むようにしたものがあり、隣合う防草シート部の隣接する側縁部が、捲れあがることなくしっかりと封止され、凹凸の多い農地等の施工面にも支障なく敷設できるものである（特許文献１）。
【特許文献１】特開２００４−３３０３２号公報
【発明の開示】
【発明が解決しようとする課題】
【０００６】
ところで、特許文献１のように、法面に草木が樹生するのを防止する防草シート材を張設する場合には、防草シート材の張設作業とは別個に、路肩部を安定させるためのコンクリートブロック部の配設作業を行う必要があり、作業が煩雑であった。また、路肩部のコンクリートブロックと防草シート材との境目に隙間があるので、その境目部分から草木が生えてくることがあった。さらに、防草シート材同士の継ぎ目部分や防草シート材の端部に隙間があると、その隙間から草木が生え易かった。
【０００７】
一方、法面にコンクリート製の法面ブロックを敷設する場合には、ブロック施工の下地となる法面を平らに整地する必要があり、法面ブロックを持ち上げるためにクレーン等の重機を必要としていた。
【０００８】
本発明は、このような事情に鑑みてなされたものであり、その目的は、法面工事における作業工程及び作業工数を減少させることができると共に、大掛かりな重機を必要とせず人力で施工を行うことができ、法面に草木が樹生するのを防止することができる法面保護材を提供することにある。
【課題を解決するための手段】
【０００９】
本発明は、前記目的を達成するために提案されたものであり、請求項１に記載のものは、法面の傾斜下端に敷設される横長な路肩コンクリートブロックと、該路肩コンクリートブロックの内部に下端縁を埋没させた状態で該路肩コンクリートブロックに止着された防草シート材と、法面の土中に埋設可能な埋没部と防草シート材の上端縁を止着するシート止着部とを有する横長な埋設部材と、を備え、
前記防草シート材の左右いずれか一方の側縁をコンクリートブロック並びに埋設部材の端部よりも側方に突出させて重ね合わせ代としたことを特徴とする法面保護材である。
【００１０】
請求項２に記載のものは、前記埋設部材が、２片を屈曲した断面Ｌ字状の長尺な部材であって、防草シート材の上端縁を止着するシート止着部としての止着片と、該止着片の端から屈曲して法面の土中に埋設される埋没片とから構成されていることを特徴とする請求項１に記載の法面保護材である。
【００１１】
請求項３に記載のものは、前記止着片の下面に防草シート材の上端縁を当接して挟持板により挟持したことを特徴とする請求項２に記載の法面保護材である。
【００１２】
請求項４に記載のものは、埋設部材がコンクリートブロック製であって、当該コンクリートブロックの内部に防草シート材の上端縁を埋設した状態で止着したことを特徴とする請求項１に記載の法面保護材である。
【００１３】
請求項５に記載のものは、法面に打ち込むアンカーの上端を埋設部材に接続したことを特徴とする請求項１から４のいずれかに記載の法面保護材である。
【００１４】
請求項６に記載のものは、埋設部材の埋没部にアンカー接続部を設け、該アンカー接続部にアンカーを接続してアンカーの上端を法面の表面から埋没させて隠蔽可能としたことを特徴とする請求項１から５のいずれかに記載の法面保護材である。
【発明の効果】
【００１５】
本発明によれば、次のような優れた効果を発揮する。
請求項１に記載の発明によれば、法面の傾斜下端に路肩コンクリートブロックの配設作業を行った後、このコンクリートブロックに下端縁を止着した防草シート材を法面下部から上方へ向けて繰り出して、該防草シート材の上端縁にシート止着部が止着された横長な埋設部材の埋没部を法面の土中に埋設することにより、路肩コンクリートブロックの設置作業と防草シート材の張設作業とを一連の作業として行うことができる。したがって、法面工事に大掛かりな重機を必須とすることなく殆ど人力で作業を行うことができ、法面工事における作業工程及び作業工数を減少させることができる。また、法面工事に防草シート材を用いるので、法面の整地に高い精度を必要とせず、法面の凹凸に防草シート材を容易に沿わせることができる。さらに、路肩コンクリートブロックと防草シート材とを一体化させることにより、コンクリートブロックに防草シート材による拘束力が加わるので、路肩コンクリートブロックを安定させることができる。路肩コンクリートブロックと防草シート材とは一体的に連続しているので、これらの境目部分から草木が生えるのを防止することができる。そして、防草シート材の左右いずれか一方の側縁をコンクリートブロック並びに埋設部材の端部よりも側方に突出させて重ね合わせ代とすることにより、相隣接する防草シート材間に隙間が生ぜず、防草シート同士の継ぎ目から草木が生えるのを防止することができる。
【００１６】
請求項２に記載の発明によれば、埋設部材が２片を屈曲した断面Ｌ字状の長尺な部材であるので、防草シート材の上端縁を止着するシート止着部としての止着片を法面に沿って傾斜下方へ臨ませた状態で、該止着片の端から屈曲した埋没片を法面の土中へと埋設させることができる。
【００１７】
請求項３に記載の発明によれば、止着片の下面に防草シート材の上端縁を当接して挟持板により挟持したので、防草シート材の上端縁をその全幅に亘って簡易に保持することができ、現場施工が容易であり、また、防草シートと止着片との接続部分に掛かる応力を分散させることができるので、耐久性を高めることができる。
【００１８】
請求項４に記載の発明によれば、コンクリートブロック製の埋設部材の内部に防草シート材の上端縁を埋設した状態で止着したので、防草シート材の上端縁をその全幅に亘って高い強度で保持することができ、耐久性に優れる。
【００１９】
請求項５に記載の発明によれば、法面に打ち込むアンカーを埋設部材に接続したので、埋設した埋設部材の浮き上がりを防止することができ、強固かつ確実に固定することができる。
【００２０】
請求項６に記載の発明によれば、埋設部材の埋没部に設けたアンカー接続部にアンカーを接続して、アンカーの上端を法面の表面から埋没させて隠蔽可能としたので、埋設部材を強固かつ確実に固定できるだけでなく、美観性にも富んでいる。
【発明を実施するための最良の形態】
【００２１】
以下、本発明を実施するための最良の形態を図面に基づいて説明する。
〔第１の実施形態〕
図１（ａ）は第１の実施形態の法面保護材を示す平面図、（ｂ）は側面図である。また、図２は第１の実施形態の法面保護材を布設した路肩部及び法面を示す概略断面図、図３は路肩コンクリートブロックを示す概略断面図、図４は第１の実施形態の法面保護材同士を隣接させて布設した状態を示す正面図である。さらに、図５および図６は第１の実施形態における防草シート材の上端縁の止着構造を示す概略図、図７は第１の実施形態における埋設部材の固定構造を示す概略図、図８はフレーム部材を示す模式図である。
【００２２】
第１の実施形態の法面保護材１は、図１および図２に示すように、法面１３の傾斜下端の路肩部１２に配設される横長な路肩コンクリートブロック１０と、このコンクリートブロック１０の内部に下端縁２０ａを埋没させた状態で該コンクリートブロック１０に止着された防草シート材２０と、防草シート材２０の上端縁２０ｂを止着すると共に、法面１３の土中に埋設可能な横長な埋設部材３０と、を備えている。なお、防草シート材２０の下端縁２０ａに抜け止め（図示せず）を固定した状態で路肩コンクリートブロック１０の内部に埋没させてもよい。
【００２３】
路肩コンクリートブロック１０は、コンクリートにより成型された概ね直方体状を呈する板状体であり、法面１３の下方に位置する道路１１の路肩部１２に沿って複数敷設される。コンクリートブロック１０の上面１０ａは、道路１１に向かって約６％の下り傾斜（水勾配）となるように成型されている。なお、コンクリートブロック１０を配設する際の基礎構造については後述する。
【００２４】
このコンクリートブロック１０の法面側の内部には、図３に示すように、路肩部１２から斜め上方に存在する法面１３を被覆する防草シート材２０の下端縁２０ａが埋没した状態で止着されている。したがって、コンクリートブロック１０と防草シート材２０とは一体的に接続されており、これらの境目部分には隙間が生ぜず、従来のように境目部分から草木が生えてくるのを防止することができる。なお、道路１１の路肩部１２に沿って複数配設する際のコンクリートブロック１０，１０同士の隙間を防止すべく、その両側端部に階段状の重ね継ぎ手部を形成してもよい。
【００２５】
防草シート材２０には、例えば、ポリプロピレン製の織布等の遮光性、耐腐食性及び耐熱性を有する織布を採用することが望ましい。織布を採用するのは、法面１３に沿って防草シート材２０を張設した場合に、防草シート材２０上に落下した雨水を法面１３に効率良く染み込ませることができるからである。上述したように、この防草シート材２０の下端縁は、路肩コンクリートブロック１０の成型時において、コンクリートブロック１０の法面側の内部に埋没させた状態で止着されており、さらに防草シート材２０の上端縁は、コンクリートブロック１０と同等の横幅を有する横長な埋設部材３０に止着されている。なお、防草シート材２０は、厚さが０．５〜１．０ｍｍのものがあり、周囲の環境や用途に応じて適宜選択することができる。
【００２６】
また、図１および図４に示すように、防草シート材２０の左右幅方向の少なくとも一側端部には、例えば、１５０ｍｍ程度の幅方向外方へ路肩コンクリートブロック１０から突き出した拡幅部２１が形成されている。この拡幅部２１は、隣接する防草シート材２０との重ね合わせ代として使用する部分であり、相隣接する防草シート材２０，２０間に隙間が生じるのを防止することができ、また、法面１３に固定する止金具２５やアンカー６０に対する強度を高めて耐久性を向上させることができる。なお、本実施形態では、防草シート材２０の幅方向の一側端部に拡幅部２１を形成しているが、これに限るものではなく、防草シート材２０の幅方向の両端部に拡幅部２１を形成してもよい。
【００２７】
埋設部材３０は、図４および図５に示すように、路肩コンクリートブロック１０と同等の長さを有する横長な部材であって、法面１３の土中に埋設可能な埋没部３１と、防草シート材２０の上端縁２０ｂを止着するシート止着部３２とを有している。本実施形態の埋設部材３０は、２片を略直角に屈曲した断面がＬ字状（アングル状）の長尺な部材であり、例えば、鋼材やアルミニウム材等の金属加工材により形成され、シート止着部３２としての止着片と、この止着片３２の端から屈曲して法面１３の土中に埋設可能な埋没部３１としての埋没片とから構成されている。止着片３２への防草シート材２０の止着は、止着片３２の下面に接着剤を塗布して防草シート材２０の上端縁２０ｂを接着することにより行われ、工場にて予め止着することが望ましいが、現場施工してもよい。このような止着構造により、防草シート材２０の上端縁２０ｂをその全幅に亘って負荷を分散した状態で確実に保持することができる。
【００２８】
なお、防草シート材２０の上端縁２０ｂの止着片３２に対する止着構造は、図６に示すように、止着片３２の下面に、防草シート材２０の上端縁２０ｂに当接する挟持板４０を備え、止着片１３２と挟持板４０との間に防草シート材２０の上端縁２０ｂを挟持した状態で、ボルト・ナット等の止着部材５０により締結してもよい。このような止着構造により、防草シート材２０の上端縁２０ｂをその全幅に亘って止着すると、シート材に掛かる負荷を一層確実に分散した状態で止着できるので、簡易に保持することができるばかりでなく、耐久性が向上し、また、着脱が可能で後装着し得るので現場施工も容易である。
【００２９】
この埋設部材３０の埋没片３１は法面１３の土中に埋設されるが、埋設した埋設部材３０の浮き上がりを防止し、法面１３に強固かつ確実に固定するには、法面１３に打ち込むアンカー６０の上端を埋設部材３０に接続することが望ましく、例えば図５に示すように、止着片３２の長手方向に等間隔で複数の挿通孔３４を形成しておき、これらの挿通孔３４を通してアンカー６０を打ち込んで接続するようにしてもよい。或いは、図６に示すように、アンカー６０の上端を溶接等により埋没片３１に接続し、埋没片３１と共にアンカー６０の上端を法面１３の表面から埋没させて隠蔽してもよい。さらに、図７に示すように、埋没片３１の下端に止着片３２とは反対方向に屈曲する板状のアンカー接続部３５を設け、このアンカー接続部３５に挿通孔３４を形成して、該挿通孔３４を通してアンカー６０を打ち込んで接続し、埋没片３１と共にアンカー６０の上端を法面１３の表面から埋没させて隠蔽してもよい。
【００３０】
次に、第１の実施形態の法面保護材１を用いた路肩部と法面部の整備工法及び構造を、法面保護材１の作用と共に説明する。
上記の法面保護材１の防草シート材２０を埋設部材３０を殻としてロール状に巻いた状態で、路肩コンクリートブロック１０を法面下部の路肩部１２に沿って複数個配設する。なお、埋設部材３０のシート止着部３２に防草シート材２０の上端縁２０ｂを現場で止着施工する場合には、埋設部材３０の殻は存在せず、防草シート材２０のみがロール状に巻かれている。
【００３１】
道路１１の路肩部１２は掘削され、図３に示すように、基礎砕石１５を配し、さらに敷モルタル１６を充填した上に、路肩コンクリートブロック１０を路肩部１２に沿って複数個配設する。その際、相隣接する路肩コンクリートブロック１０，１０同士の側端面を突き合わせて配設するが、路肩コンクリートブロック１０の両側端部に段差状の重ね継ぎ手部（図示せず）を形成した場合には、この重ね継ぎ手部を相隣接するコンクリートブロック１０，１０同士で互いに重ね合わせる。コンクリートブロック１０，１０同士の側端面を突き合せて間隙が形成された場合には、この間隙にモルタルを充填する。
【００３２】
路肩コンクリートブロック１０を敷設した後、該コンクリートブロック１０からロール状に巻いた防草シート材２０を展開して、斜め上方に傾斜した法面１３を順次被覆する。このようにコンクリートブロック１０から防草シート材２０を展開して法面１３を被覆すると、コンクリートブロック１０の配設作業と防草シート材２０の張設作業とを一連の作業として行うことができ、法面ブロック工法のように法面工事に重機を必要とせず、人力のみで作業を行うことができる。防草シート材２０で覆う法面１３を平坦に整地した場合は勿論のこと、法面１３に凹凸がある状態であっても、法面１３を覆うのものが可撓性を有する防草シート材２０であるので、法面１３の凹凸に容易に追従した状態で覆うことができる。
【００３３】
この防草シート材２０を展開していくと、その上端縁２０ｂに止着された埋設部材３０が現れる。上述したように、この埋設部材３１の止着片３２と埋没設片３１とは、例えば、略直角に屈曲しており、防草シート材２０の上端縁２０ｂを止着する止着片３２を法面１３の傾斜面に沿って下方へ臨んだ姿勢で配すると、この止着片３２の端から屈曲した埋没片３１は法面１３の土の深さ方向へと臨んだ姿勢となり、土中へと容易に埋設することができる。
【００３４】
この埋設部材３１の埋没片３１を法面１３の土中に埋設するだけでなく、アンカー６０の上端を接続することにより、埋設部材３０を法面１３に強固かつ確実に固定して、その浮き上がりを防止することができる（図５から図７参照）。アンカー６０の上端を埋没片３１に溶接接続する場合（図６参照）や、埋設部材３０の埋没片３２と一体に設けたアンカー接続部３５にアンカー６０を接続する場合（図７参照）には、埋設部材３０を強固かつ確実に固定できるだけでなく、アンカー６０の上端を法面１３の表面から埋没させて隠蔽するので、美観性にも富んでいる。
【００３５】
さらに、上述したように、路肩コンクリートブロック１０から防草シート材２０を展開して法面１３を被覆するが、この防草シート材２０の幅方向の一側端部には拡幅部２１が形成されているので、この拡幅部２１を隣接する防草シート材２０との重ね合わせ代として使用して重ね合わせ、例えば、両面テープや接着剤等により拡幅部２１の全長に亘って接着する（図３参照）。これにより、相隣接する防草シート材２０，２０間に隙間が生じることがなく、防草シート材２０，２０同士の継ぎ目から草木が生えるのを防止することができる。
【００３６】
なお、防草シート材２０内に風が吹き込んで膨らむのを防止するため、縦横に適宜間隔で止金具２５を打ち込むことが望ましい。特に、図３に示すように、相隣接する防草シート材２０の拡幅部２１を重ね合わせて複数の法面保護材１を配設した後、幅方向両側に位置する法面保護材１の防草シート材２０の端縁の浮き上がりを防止するため、防草シート材２０の端縁を上記の埋設部材３０と同形状を呈する２片を略直角に屈曲した断面がＬ字状（アングル状）の長尺なフレーム部材７０で押さえ、止金具２５やアンカー６０で固定することが望ましい。なお、フレーム部材７０の止着片７１には、長手方向に等間隔で複数の十字状の挿通孔３４が形成され、止着片７１の挿通孔３４，３４間にはＶ字状の切欠き部７５が形成されている。フレーム部材７０と上記埋設部材３０とは、共通部材として形成してもよい。
【００３７】
以上説明したように、第１の実施形態の法面保護材１によれば、路肩コンクリートブロック１０の配設作業と防草シート材２０の張設作業とを一連の作業として行うことができる。そして、コンクリートブロック１０に一体的に止着され、ロール状に巻かれた防草シート材２０を法面下部から上方へ向けて展開しながら防草シート材２０の張設作業を行うので、法面工事に大掛かりな重機を必要とせず、人力で十分に作業を行うことができ、法面工事における作業工程及び作業工数を減少させることができる。また、路肩コンクリートブロック１０と防草シート材２０とを一体化させることにより、コンクリートブロック１０に防草シート材２０による拘束力が加わるので、路肩コンクリートブロック１０を安定させることができる。
【００３８】
〔第２の実施形態〕
図９は第２の実施形態における埋設部材を示す概略断面図、図１０は埋設部材の固定構造を示す概略断面図である。なお、第１の実施形態と同一の構成の部材については同一の符号を付して説明する。
【００３９】
第２の実施形態における埋設部材１３０は、図９に示すように、路肩コンクリートブロック１０よりも小さな矩形の断面積を有する細長いコンクリートブロック製の部材であって、当該コンクリートブロック１３０の成型時に内部に防草シート材２０の上端縁２０ｂを埋没させた状態で止着している。コンクリートブロック１３０は、工場で成型することが望ましい。
【００４０】
図１０に示すように、このコンクリートブロック１３０についても、その埋設部端にアンカー６０の上端を接続することにより、コンクリートブロック１３０を強固かつ確実に固定して浮き上がりを防止することができ、アンカー６０の上端を法面１３の表面から埋没させて隠蔽することができる。コンクリートブロック１３０を成型する場合にはアンカー６０を打ち込む挿通孔（図示せず）を形成しておくことが考えられ、現場施工の場合にはコンクリートブロック１３０の成型時にアンカー６０の上端を埋め込むことが考えられる。
【００４１】
第２の実施形態は基本的に第１の実施形態と同様の作用効果を奏するが、特に第２の実施形態では、埋設部材としてのコンクリートブロック１３０の内部に防草シート材２０の上端縁２０ｂを埋設した状態で止着したので、防草シート材２０の上端縁２０ｂをその全幅に亘って高い強度で保持することができる。また、防草シート材２０の下端縁２０ａと上端縁２０ｂとの止着構造が同じであるので、一方に過大な負荷が掛かるのを防止することができる。
【００４２】
〔第３の実施形態〕
図１１は第３の実施形態における埋設部材を示す概略断面図、図１２は埋設部材の固定構造を示す概略断面図である。なお、第１の実施形態と同一の構成の部材については同一の符号を付して説明する。
【００４３】
第３の実施形態における埋設部材２３０は、図１１に示すように、断面の大きさが路肩コンクリートブロック１０よりも小さな細長いパイプ部材であって、パイプ部材２３０としては、金属配管やプラスチック配管、土管等が挙げられる。防草シート材２０の上端縁２０ｂの止着は、パイプ部材２３０の外周面に接着剤等により防草シート材２０の上端縁２０ｂを接着したり、或いは、パイプ部材２３０に肉厚を貫通する線状の切欠き部（図示せず）を形成して、切欠き部内に防草シート材２０の上端縁２０ｂを挿入した状態で接着してもよい。
【００４４】
図１２に示すように、このパイプ部材２３０についても、アンカー６０の上端を溶接等により接続することにより、パイプ部材２３０を強固かつ確実に固定することができ、アンカー６０の上端を法面１３の表面から埋没させて隠蔽することができる。
【００４５】
第３の実施形態は基本的に第１の実施形態と同様の作用効果を奏するが、特に第３の実施形態では、埋設部材２３０がパイプ部材であるので、パイプ部材２３０の外周部に防草シート材２０を巻き込むようにして法面１３の土中に埋設すれば、防草シート材２０に適度な張りを持たせることができる。
【図面の簡単な説明】
【００４６】
【図１】（ａ）は第１の実施形態の法面保護材を示す平面図、（ｂ）は側面図である。
【図２】第１の実施形態の法面保護材を布設した路肩部及び法面を示す概略断面図である。
【図３】路肩コンクリートブロックを示す概略断面図である。
【図４】第１の実施形態の法面保護材同士を隣接させて布設した状態を示す正面図である。
【図５】第１の実施形態における防草シート材の上端縁の止着構造を示す概略図である。
【図６】第１の実施形態における防草シート材の上端縁の他の止着構造を示す概略図である。
【図７】第１の実施形態における埋設部材の固定構造を示す概略図である。
【図８】フレーム部材を示す模式図である。
【図９】第２の実施形態における埋設部材を示す概略断面図である。
【図１０】埋設部材の固定構造を示す概略断面図である。
【図１１】第３の実施形態における埋設部材を示す概略断面図である。
【図１２】埋設部材の固定構造を示す概略断面図である。
【符号の説明】
【００４７】
１  法面保護材
２  法面
１０  路肩コンクリートブロック
２０  防草シート材
２０ａ  防草シート材の下端縁
２０ｂ  防草シート材の上端縁
２１  拡幅部（重ね合わせ代）
３０，１３０，２３０  埋設部材
３１  埋没部（埋没片）
３２  シート止着部（止着片）
３５  アンカー接続部
４０  挟持板
６０  アンカー
【図１】
2008184814.tif 000003
【図２】
2008184814.tif 000004
【図３】
2008184814.tif 000005
【図４】
2008184814.tif 000006
【図５】
2008184814.tif 000007
【図６】
2008184814.tif 000008
【図７】
2008184814.tif 000009
【図８】
2008184814.tif 000010
【図９】
2008184814.tif 000011
【図１０】
2008184814.tif 000012
【図１１】
2008184814.tif 000013
【図１２】
2008184814.tif 000014